(57)【要約】【課題】レンズ装置の補正情報を撮像装置に登録する際に、登録装置から撮像装置に登録可能なレンズ装置の一覧の中からどのレンズ装置の補正情報が登録されるかをユーザが視覚的に確認可能とする。【解決手段】  登録装置は、撮像装置が装着されているレンズ装置に設定された識別情報を撮像装置から取得する。登録装置は、レンズ装置の機種を特定する情報と、対応する補正情報を含むレンズ情報を、識別情報により参照可能に予め記憶しており、その記憶されているレンズ装置の機種の一覧を、取得した識別情報に対応したレンズ装置の機種を他のレンズ装置の機種と識別可能に確認画面に表示する。【選択図】図６
2010041244.tif 000002
【特許請求の範囲】
【請求項１】
識別情報が設定されたレンズ装置を着脱可能な撮像装置と、当該撮像装置と通信接続してレンズ装置の補正情報を前記撮像装置に登録するための登録装置とを有する情報登録システムにおいて、
前記登録装置は、
レンズ装置の機種を特定する情報と、対応する補正情報を含むレンズ情報を、識別情報により参照可能に記憶するレンズ情報記憶手段と、
前記撮像装置に装着されているレンズ装置に設定された識別情報を前記撮像装置から取得する取得手段と、
前記レンズ情報記憶手段に前記レンズ情報が記憶されているレンズ装置の機種の一覧を、前記取得手段により取得した識別情報に対応したレンズ装置の機種を他のレンズ装置の機種と識別可能に表示する確認画面を表示する表示手段と、
前記確認画面を介して、前記撮像装置へ前記補正情報を登録するレンズ装置の機種の指定をユーザから受け付ける操作手段と、
前記操作手段により指定を受け付けたレンズ装置の補正情報及び識別情報を含む登録情報を、前記レンズ情報記憶手段から前記撮像装置へ送信する送信手段と、
を備え、
前記撮像装置は、
レンズ装置の補正情報を記憶する補正情報記憶手段と、
前記登録装置からの要求に応じて、装着されているレンズ装置に設定された識別情報を前記登録装置へ返信する返信手段と、
前記登録装置から送信された前記登録情報を受信する受信手段と、
前記受信手段により受信された前記登録情報に基づいて、前記補正情報記憶手段の記憶内容を更新する更新手段と、
を備えることを特徴とする情報登録システム。
【請求項２】
前記表示手段は、前記撮像装置へ前記補正情報を登録するレンズ装置の機種として、前記取得手段により取得した識別情報に対応したレンズ装置の機種が指定された前記確認画面を表示することを特徴とする請求項１に記載の情報登録システム。
【請求項３】
前記操作手段は、前記確認画面を介して、前記撮像装置に装着されているレンズ装置と異なる機種のレンズ装置の機種の指定を受け付けることを特徴とする請求項１又は２に記載の情報登録システム。
【請求項４】
前記返信手段は、前記装着されているレンズ装置の識別情報に加え、前記補正情報記憶手段に前記補正情報が記憶されているレンズ装置の識別情報も前記登録装置へ返信し、
前記表示手段は、前記確認画面において、前記補正情報記憶手段に記憶されているレンズ装置の機種を前記一覧表示の中で識別可能に表示することを特徴とする請求項１乃至３のいずれか一項に記載の情報登録システム。
【請求項５】
前記補正情報記憶手段は、複数の識別情報で同一の補正情報を参照するための参照先情報を更に記憶し、
前記送信手段は、前記指定されたレンズ装置のうち、機種が同一で識別情報が異なるものについては、１つの登録情報にのみ補正情報を含め、他の登録情報については、前記１つの登録情報を参照するための参照先情報を補正情報に代えて含めた登録情報を前記撮像装置へ送信することを特徴とする請求項４に記載の情報登録システム。
【請求項６】
前記登録装置は、
前記補正情報記憶手段に記憶されているレンズ装置の機種の数と前記確認画面を介して指定を受け付けたレンズ装置の機種の数の合計と、予め設定された前記撮像装置の登録可能数と、を比較して、前記撮像装置への前記指定を受け付けたレンズ装置の補正情報の登録が可能か否かを判定する判定手段を更に備え、
前記表示手段は、前記確認画面において、前記判定手段により登録できないと判定された場合に警告表示を行うことを特徴とする請求項４又は５に記載の情報登録システム。
【請求項７】
前記撮像装置は、
自装置に装着されるレンズ装置が交換された際に、交換後のレンズ装置に設定された識別情報を前記登録装置へ通知する交換通知手段を更に備え、
前記表示手段は、前記確認画面の表示中に前記交換通知手段により識別情報が通知された場合、当該通知された識別情報に対応した前記交換後のレンズ装置の機種を、前記一覧表示の中で識別可能に前記確認画面を更新して表示することを特徴とする請求項１乃至６のいずれか一項に記載の情報登録システム。
【請求項８】
前記表示手段は、前記指定を受け付けたレンズ装置として、前記交換後のレンズ装置の機種が選択された前記確認画面を表示することを特徴とする請求項７に記載の情報登録システム。
【請求項９】
前記表示手段は、前記交換通知手段により識別情報が通知された際に、前記交換前のレンズ装置の機種が前記確認画面で指定されていた場合、前記交換前のレンズ装置の機種に加えて、前記交換後のレンズ装置の機種が選択された前記確認画面を表示することを特徴とする請求項７に記載の情報登録システム。
【請求項１０】
識別情報が設定されたレンズ装置を着脱可能とし、レンズ装置の補正情報を記憶する補正情報記憶手段を有する撮像装置と、操作手段、表示手段、レンズ装置の機種を特定する情報と、対応する補正情報を含むレンズ情報を、識別情報により参照可能に記憶するレンズ情報記憶手段を有し、前記撮像装置と通信接続してレンズ装置の補正情報を前記撮像装置に登録するための登録装置と、による情報登録方法であって、
前記撮像装置に装着されているレンズ装置に設定された識別情報を前記撮像装置から前記登録装置が取得する取得工程と、
前記レンズ情報記憶手段に前記レンズ情報が記憶されているレンズ装置の機種の一覧を、前記取得工程により取得した識別情報に対応したレンズ装置の機種を他のレンズ装置の機種と識別可能に表示する確認画面を前記表示手段に表示する表示工程と、
前記確認画面を介して、前記撮像装置へ前記補正情報を登録するレンズ装置の機種の指定を前記操作手段によりユーザから受け付ける操作工程と、
前記操作工程により指定を受け付けたレンズ装置の補正情報及び識別情報を含む登録情報を、前記レンズ情報記憶手段から前記撮像装置へ送信する送信工程と、
前記登録装置から送信された前記登録情報を前記撮像装置が受信する受信工程と、
前記受信工程により受信された前記登録情報に基づいて、前記補正情報記憶手段の記憶内容を更新する更新工程と、
を含むことを特徴とする情報登録方法。
【請求項１１】
識別情報が設定されたレンズ装置を着脱可能な撮像装置と通信接続してレンズ装置の補正情報を前記撮像装置に登録するための登録装置であって、
レンズ装置の機種を特定する情報と、対応する補正情報を含むレンズ情報を、識別情報により参照可能に記憶するレンズ情報記憶手段と、
前記撮像装置に装着されているレンズ装置に設定された識別情報を前記撮像装置から取得する取得手段と、
前記レンズ情報記憶手段に前記レンズ情報が記憶されているレンズ装置の機種の一覧を、前記取得手段により取得した識別情報に対応したレンズ装置の機種を他のレンズ装置の機種と識別可能に表示する確認画面を表示する表示手段と、
前記確認画面を介して、前記撮像装置へ前記補正情報を登録するレンズ装置の機種の指定をユーザから受け付ける操作手段と、
前記操作手段により指定を受け付けたレンズ装置の補正情報及び識別情報を含む登録情報を、前記レンズ情報記憶手段から前記撮像装置へ送信する送信手段と、
を備えることを特徴とする登録装置。
【請求項１２】
識別情報が設定されたレンズ装置を着脱可能とし、レンズ装置の補正情報を登録するための登録装置と通信可能に接続する撮像装置であって、
レンズ装置の補正情報を記憶する補正情報記憶手段と、
前記登録装置からの要求に応じて、装着されているレンズ装置に設定された識別情報を前記登録装置へ返信する返信手段と、
前記登録装置から送信された前記登録情報を受信する受信手段と、
前記受信手段により受信された前記登録情報に基づいて、前記補正情報記憶手段の記憶内容を更新する更新手段と、
を備えることを特徴とする撮像装置。
【発明の詳細な説明】
【技術分野】
【０００１】
本発明は、着脱可能なレンズ装置の補正情報を撮像装置に登録するための情報登録システム、情報登録方法、登録装置及び撮像装置に関する。
【背景技術】
【０００２】
近年、レンズ装置を着脱可能なデジタルスチルカメラ等の撮像装置においては、レンズ装置の補正情報をメモリに記憶しており、装着したレンズ装置に応じた補正情報をメモリから読み出して撮像画像を補正するものがある。この撮像装置では、装着して使用するレンズ装置の補正情報を予めメモリに記憶しておく必要がある。
【０００３】
特許文献１には、カメラ本体に装着されるレンズ装置からそのレンズ装置を識別する固有情報を取得し、取得した固有情報に対応したレンズの光学特性情報をコンピュータネットワークを介して取得してメモリに記憶する撮像装置に関する技術が開示されている。
【特許文献１】特開２００６−２６７７７０号公報
【発明の開示】
【発明が解決しようとする課題】
【０００４】
しかしながら、上記従来技術では、撮像装置に装着したレンズ装置の固有情報からレンズ情報を自動的に選んで撮像装置のメモリに記憶してしまう。従って、登録装置から撮像装置に登録可能な数あるレンズ装置の一覧からどのレンズ装置の補正情報が撮像装置のメモリに記憶されるかをユーザが視覚的に確認できなかった。
【０００５】
本発明は、このような従来技術の課題を解決することを目的としてなされたものである。本発明の目的は、レンズ装置の補正情報を撮像装置に登録する際に、登録装置から撮像装置に登録可能なレンズ装置の一覧の中からどのレンズ装置の補正情報が登録されるかをユーザが視覚的に確認可能とすることである。
【課題を解決するための手段】
【０００６】
上記目的は、識別情報が設定されたレンズ装置を着脱可能な撮像装置と、当該撮像装置と通信接続してレンズ装置の補正情報を前記撮像装置に登録するための登録装置とを有する情報登録システムにおいて、前記登録装置は、レンズ装置の機種を特定する情報と、対応する補正情報を含むレンズ情報を、識別情報により参照可能に記憶するレンズ情報記憶手段と、前記撮像装置に装着されているレンズ装置に設定された識別情報を前記撮像装置から取得する取得手段と、前記レンズ情報記憶手段に前記レンズ情報が記憶されているレンズ装置の機種の一覧を、前記取得手段により取得した識別情報に対応したレンズ装置の機種を他のレンズ装置の機種と識別可能に表示する確認画面を表示する表示手段と、前記確認画面を介して、前記撮像装置へ前記補正情報を登録するレンズ装置の機種の指定をユーザから受け付ける操作手段と、前記操作手段により指定を受け付けたレンズ装置の補正情報及び識別情報を含む登録情報を、前記レンズ情報記憶手段から前記撮像装置へ送信する送信手段と、を備え、前記撮像装置は、レンズ装置の補正情報を記憶する補正情報記憶手段と、前記登録装置からの要求に応じて、装着されているレンズ装置に設定された識別情報を前記登録装置へ返信する返信手段と、前記登録装置から送信された前記登録情報を受信する受信手段と、前記受信手段により受信された前記登録情報に基づいて、前記補正情報記憶手段の記憶内容を更新する更新手段と、を備えることを特徴とする本発明による情報登録システムによって達成される。
【０００７】
また、上記目的は、識別情報が設定されたレンズ装置を着脱可能とし、レンズ装置の補正情報を記憶する補正情報記憶手段を有する撮像装置と、操作手段、表示手段、レンズ装置の機種を特定する情報と、対応する補正情報を含むレンズ情報を、識別情報により参照可能に記憶するレンズ情報記憶手段を有し、前記撮像装置と通信接続してレンズ装置の補正情報を前記撮像装置に登録するための登録装置と、による情報登録方法であって、前記撮像装置に装着されているレンズ装置に設定された識別情報を前記撮像装置から前記登録装置が取得する取得工程と、前記レンズ情報記憶手段に前記レンズ情報が記憶されているレンズ装置の機種の一覧を、前記取得工程により取得した識別情報に対応したレンズ装置の機種を他のレンズ装置の機種と識別可能に表示する確認画面を前記表示手段に表示する表示工程と、前記確認画面を介して、前記撮像装置へ前記補正情報を登録するレンズ装置の機種の指定を前記操作手段によりユーザから受け付ける操作工程と、前記操作工程により指定を受け付けたレンズ装置の補正情報及び識別情報を含む登録情報を、前記レンズ情報記憶手段から前記撮像装置へ送信する送信工程と、前記登録装置から送信された前記登録情報を前記撮像装置が受信する受信工程と、前記受信工程により受信された前記登録情報に基づいて、前記補正情報記憶手段の記憶内容を更新する更新工程と、を含むことを特徴とする本発明による情報登録方法によっても達成される。
【発明の効果】
【０００８】
本発明によれば、レンズ装置の補正情報を撮像装置に登録する際に、登録装置から撮像装置に登録可能なレンズ装置の一覧の中からどのレンズ装置の補正情報が登録されるかをユーザが視覚的に確認可能とすることができる。
【発明を実施するための最良の形態】
【０００９】
以下、この発明の実施の形態について図を参照して説明するが、この発明は以下の実施の形態に限定されない。また、この発明の実施の形態は発明の最も好ましい形態を示すものであり、発明の範囲を限定するものではない。
【００１０】
［第１実施形態］
図１は本発明の第１実施形態に係る撮像装置３０１の構成を示すブロック図である。なお、以下に説明する撮像装置３０１は、いわゆるデジタルスチルカメラ（以下、デジタルカメラ）である。
【００１１】
撮像装置３０１は、撮像部１０、データ処理部２０、出力画像メモリ３０、データインターフェース部３１、画像表示部３２、ユーザインターフェース部３３、中央制御部３４を備える。撮像部１０は、レンズ装置１１、撮像素子１２を有する。データ処理部２０は、ＡＧＣ・Ａ／Ｄ変換部２１、画像データ変換部２２、画像劣化補正処理部２３、画像処理部２４、圧縮処理部２５を有する。
【００１２】
上記構成を詳述すると、中央制御部３４は、ＣＰＵ３４ａ（Central Processing Unit）、内蔵メモリ３４ｂを有する。ＣＰＵ３４ａは、撮像装置３０１の全体の管理、処理命令を行う機能を有する。図中、点線の矢印は処理の流れを、実線の矢印は画像データの流れを示す。
【００１３】
撮像部１０は、レンズ装置１１により被写体を撮像素子１２の受光面上に投影して被写体を撮像する部位である。具体的には、撮像部１０は、撮像装置３０１のシャッタ（図示せず）が押された際と、画像表示部３２がファインダとして使用される際に、ＣＰＵ３４ａの命令を介して上述した被写体の撮像を行う。
【００１４】
ここで、レンズ装置１１は、被写体を結像するための撮像光学系１１ａと、レンズ装置１１の種別や個体を識別可能とするためのユニークな識別情報が設定されたメモリ１１ｂを有する。レンズ装置１１は、撮像光学系１１ａのズーム、ピント位置、絞りを駆動する機構（図示せず）を有しており、撮影時のズームステート、ピント位置、絞り径の値がＣＰＵ３４ａを介して検知可能な機能を有している。また、メモリ１１ｂに記憶された識別情報は、レンズ装置１１と撮像装置３０１とを電気的に接続する接点（図示せず）を介して中央制御部３４から読出可能である。また、このレンズ装置１１は撮像装置３０１に着脱可能となっており、撮像装置３０１には複数のレンズ装置１１が装着可能である。また、レンズ装置１１の周辺減光や歪曲収差、倍率色収差や軸上色収差等の光学特性補正データ（補正情報）は、補正情報記憶手段としての内蔵メモリ３４ｂに格納されている。
【００１５】
撮像素子１２は、受光面上に結像された像による光信号を、位置対応する受光画素ごとに電気信号に変換する単一の光電変換素子である。また、撮像素子１２は、その受光部の画素に図２に示す市松模様の配列で配置されたＲ（赤色）、Ｇ（緑色）、Ｂ（青色）の各フィルタにより色分解を行う機能を有している。撮影時の撮像素子の露光時間や被写体像取得のタイミングは、ＣＰＵ３４ａによって制御され、電気信号として取得された像のデータは、ＣＰＵ３４ａの指示によりデータ処理部２０に転送される。
【００１６】
データ処理部２０に転送された画像信号は、先ず、ＡＧＣ・Ａ／Ｄ変換部２１に転送される。転送された画像信号は、ＡＧＣ（Automatic Gain Control：自動利得制御）により増幅、強度補正され、Ａ／Ｄ変換部によりデジタルデータに変換され、画像データ変換部２２に転送される。更に、転送されたデジタルデータは、画像データ変換部２２によりデジタル画像（階調）データに変換される。
【００１７】
画像データ変換部２２により変換されたデジタル画像データは、画像劣化補正処理部２３による画像補正処理を経て或いは補正処理を経ないで、画像処理部２４に転送される。この処理の分岐は、カメラの設定が補正をかける設定になっているか補正をかけない設定になっているか、また撮影するときに用いた光学系の補正データがあるのか、または補正データがないのかという条件により発生する。
【００１８】
画像劣化補正処理部２３は、レンズ装置１１により撮像された撮像画像の画像劣化を補正する。ＣＰＵ３４ａの指示により画像劣化補正処理部２３に転送された画像データは、内蔵メモリ３４ｂに格納されたレンズ装置１１の光学特性補正データに基づき、レンズ装置１１のそれぞれ上述の光学特性に起因する画像劣化が補正される。具体的には、光学特性補正データにより、周辺減光特性、倍率色収差特性、軸上色収差特性、歪曲収差特性等が補正される。この場合、画像劣化補正処理部２３による画像劣化補正処理に用いるデータは、レンズ設計値、レンズ収差データ、レンズ収差補正パラメータ等、補正に有効なデータであれば何でもよい。
【００１９】
一方、画像処理部２４は、表色系変換処理や輝度色分離等の、複数の表色系のデータに基づき、画像変換処理を行う。一般的には、これらの画像変換処理は、任意の画素位置に対し、各表色系で被写体結像位置が一致していることを前提に処理を行う。各光学特性の補正方法には様々な手法があるが、どのような手段で補正を行っても良い。
【００２０】
画像劣化補正がなされた画像データは、画像処理部２４に転送され、輝度色分離処理、ホワイトバランス調整、グレイバランス調整、濃度調整、カラーバランス調整、エッジ強調等の各種の画像処理が施される。
【００２１】
画像処理部２４によって画像処理がなされた画像データは、圧縮処理部２５に転送され、所定の画像圧縮処理方法により圧縮される。圧縮方法は、JPEG（Joint Photographic Expert Group）、TIFF（Tag Image File Format）、JPEG2000等のような、画像データが圧縮できる手法であればいかなる手法でもよい。圧縮された画像データは、出力画像データとして出力画像メモリ３０に転送され格納される。
【００２２】
出力画像データを格納する出力画像メモリ３０は、デジタルスチルカメラに着脱可能な記録媒体であり、この記録媒体を介して他の情報端末機器への出力画像の直接的な転送が可能となる。また、出力画像メモリ３０は、書き換え可能なメモリであり、例えばコンパクトフラッシュ（登録商標）、スマートメディア、メモリスティック、PCカード、ATAカード等のカード状メモリなどがある。また、出力画像メモリ３０は、MOディスク、フロッピー（登録商標）ディスク、ZIP、CD-R、CD-RW、DVD-ROM等の汎用メモリ等であってよく、どのような形態をとるものでもよい。
【００２３】
データインターフェース部３１は、有線又は無線により他の情報端末機器と互いに通信可能に接続するためのインターフェースである。具体的には、データインターフェース部３１は、中央制御部３４の制御の下、ＵＳＢ通信、ＬＡＮ、インターネットなどを介したデータ通信を行う。例えば、データインターフェース部３１は、出力画像メモリ３０に蓄えられた画像データを有線伝送もしくは無線伝送により他の情報端末機器に転送可能である。
【００２４】
画像表示部３２は、例えば液晶ディスプレイから構成されており、出力画像メモリ３０に記録された画像データやカメラの撮影設定等を表示することができる。またファインダとして被写体像を表示することも可能である。画像表示部３２の画像表示機能は、ユーザインターフェース部３３を介してON/OFFや表示情報の切り替えが可能である。
【００２５】
次に、第１実施形態に係る登録装置の動作について前述した撮像装置との連携を示しながら説明する。図３は、レンズ情報登録システム１の概要を示す概念図である。図３に示すように、レンズ情報登録システム１において、撮像装置３０１は前述した光学補正機能を有するデジタルカメラを示すものであり、複数のレンズ装置１１が装着可能であるものとする。
【００２６】
一方、登録装置３０２は、いわゆるパーソナルコンピュータなどの情報機器であり、撮像装置３０１と通信することが出来るアプリケーションプログラムがインストールされているものとする。また、登録装置３０２には、前述した光学特性補正データの補正値が各種レンズ装置ごとに記録されているものとする。
【００２７】
一般的に登録装置３０２には記録容量が十分にあるので、ここに記録される補正値は撮像装置３０１に対応するレンズ装置１１の全ての補正値が記録されているものとする。登録装置３０２に前述の光学特性補正データを記録する手段は、例えばインターネットに接続してダウンロードをしても良いし、外部記録メディアから直接パーソナルコンピュータに記録させても良い。
【００２８】
撮像装置３０１は光学特性補正データを取得する為に、例えば図１中のデータインターフェース部３１からＵＳＢケーブル３０３を介して登録装置３０２内に記録された光学特性補正データの中から必要なものを図１中の中央制御部３４に記録することができる。
【００２９】
図４は光学特性補正データを記録した記録媒体の記録内容の構成例を示す図である。光学特性補正データについて、撮像装置３０１内の中央制御部３４に記録する構造と、登録装置３０２内に記録する構造は共通で良い。記録媒体のデータ構成は大きく分けて、光学特性補正テーブル全体の領域８０１、各レンズのレンズデータ領域８０２、８０３のように配置され、以降補正を対応するレンズの本数分繋がっていく。
【００３０】
領域８０１中の光学補正テーブルヘッダ情報８０４に記録する情報としては、例えば光学補正テーブルが対応しているレンズの本数や、レンズ一本あたりの補正データのデータ量、各光学補正データの補正データ量等を記録しておくと良い。
【００３１】
各レンズデータのヘッダ情報８０５にはレンズＩＤ（識別情報）やレンズ名称等の各レンズ装置に固有であり機種を特定する情報、そのレンズのTele端やWide端の焦点距離や最短撮影距離や開放絞り値等などを参照可能に記録しておく。この情報を使ってレンズ装置を特定したり、補正演算を行う際のパラメータとして演算に用いる。また、ヘッダ情報８０５のレンズＩＤを参照して、レンズ装置から読み出したレンズＩＤと一致するデータを読み出すことで、そのレンズ装置に対応する光学特性補正データの読み出しを行うことが可能となっている。すなわち、記録媒体では、レンズ名称等のレンズ装置の機種を特定する情報や対応する補正情報を含むレンズ情報がレンズＩＤにより参照可能に記憶されている。
【００３２】
各レンズのレンズデータ領域には、対応する光学補正の補正値が記録されている。例えば周辺光量補正データ８０６としては、各ズーム位置、フォーカス位置、絞り位置において、光軸中心からの距離においてどの程度光量が落ちているかを示すデータが記録されている。また、歪曲収差補正データ８０７としては、各ズーム位置、フォーカス位置、絞り位置において、光軸中心からの距離においてどの程度、理想像高に対して実際に歪んでいるかを示すデータが記録されている。倍率色収差補正データ８０８としては、同様に各ズーム位置、フォーカス位置、絞り位置において、光軸中心からの距離においてどの程度Ｒ、Ｂ成分の結像位置がＧ成分とずれているかといったような補正値が記録されている。当然補正する光学特性や、データの内容はこの限りではない。
【００３３】
ここで、登録装置３０２の構成について図５を参照して説明する。図５に示すように、登録装置３０２は、制御部４０１、ＲＡＭ４０２、記憶部４０３、表示部４０４、操作部４０５、Ｉ／Ｆ部４０６を備える。
【００３４】
制御部４０１は、ＣＰＵなどで構成され、登録装置３０２の各部の動作を中央制御する。具体的には、制御部４０１は、記憶部４０３に記憶されたプログラムデータ４０３ａをＲＡＭ４０２（Random Access Memory）に展開して順次実行することで、各部の動作を制御する。
【００３５】
レンズ情報記憶手段としての記憶部４０３は、ＲＯＭ（Read Only Memory）やＨＤＤ（Hard Disk Drive）などであり、プログラムデータ４０３ａ、光学補正データ４０３ｂを記憶する。また、記憶部４０３は、接続コネクタ（図示せず）により記録媒体４０７を着脱可能であり、記録媒体４０７に記憶されたデータの読み出しや記録媒体４０７へのデータの書き込みなどを行う。例えば、プログラムデータ４０３ａ、光学補正データ４０３ｂなどは、記録媒体４０７から読み出されて記憶部４０３に記憶されてもよい。プログラムデータ４０３ａは前述したアプリケーションプログラムなどであり、光学補正データ４０３ｂは、前述した光学特性補正データを記録した記録媒体から読み出して記憶部４０３に格納したデータである。
【００３６】
表示部４０４は、例えばＬＣＤ（Liquid Crystal Display）などの表示装置であり、制御部４０１の制御の下で画面表示を行う。具体的には、表示部４０４は、後述するＵＩ（User Interface）に関する画面表示を行う。操作部４０５は、例えばキーボードやポインティングデバイスなどであり、ユーザからの操作入力を受け付けて制御部４０１へ出力する。具体的には、操作部４０５は、補正情報を登録するレンズ装置の機種の指定による登録指示など、ＵＩにおけるユーザからの操作指示を受け付ける。
【００３７】
Ｉ／Ｆ部４０６は、制御部４０１の制御の下、無線又は有線により外部機器と通信可能に接続するインターフェースである。具体的には、Ｉ／Ｆ部４０６は、ＵＳＢケーブル３０３を介して接続する撮像装置３０１との間でＵＳＢ通信を行う。また、Ｉ／Ｆ部４０６は、インターネットやＬＡＮ（Local Area Network）などの通信ネットワーク３０５を介して接続する外部機器３０６との間で、所定の通信プロトコルに従ったデータ通信を行う。例えば、通信ネットワーク３０５を介した外部機器３０６とのデータ通信としては、前述した光学特性補正データをインターネットを介してダウンロードする場合などがある。
【００３８】
次に、レンズ情報登録システム１における撮像装置３０１と、登録装置３０２との動作について図６、７、８、９を参照して説明する。図６は撮像装置３０１と登録装置３０２との動作を示したラダーチャートである。図７、８は、前述したアプリケーションプログラムにより表示部４０４に表示されるＵＩの画面例であり、図９は登録装置３０２での処理の流れを表したフローチャートである。
【００３９】
図６に示すように、登録装置３０２では、撮像装置３０１との通信接続が確認されると、制御部４０１の制御の下でアプリケーションプログラムを起動して、ＵＩを表示部４０４に表示する。この起動時に表示部４０４に表示されるＵＩは、メインメニューの選択に関するＵＩであり、図７に示すような領域５０１、５０２、５０３を有する。
【００４０】
領域５０１には接続されているデジタルカメラのアプリからは変更できない設定が表示されている。具体的にドライブモード（単射、連射）、撮影モード（マニュアル、絞り優先、シャッター秒時優先  等）や電池の残量や撮影可能枚数などがある。領域５０２にはアプリケーションから変更可能なデジタルカメラ３０１の設定が表示される。具体的にはホワイトバランスモードやＩＳＯ感度、記録画質や測光モード等が挙げられる。領域５０３には撮影系のメニューが表示され、主に画像に関わる設定ができるようになっている。例えば、「風景モード」「ポートレートモード」のように、特定の被写体に特化した色・輝度を出力するモードの選択や、領域５０２で設定したホワイトバランスに対して微調整を行うＷＢ補正が設定できる。本件に関わる光学特性補正データの登録もこの領域５０３から可能となる。なお、このＵＩの画面配置は上述した説明に限るものではない。
【００４１】
ここから、ユーザが所有する登録装置３０２に所望するレンズ装置の光学特性補正データを登録する場合の処理について、主に図６、図８、図９を参照して説明する。図９に示すように、登録装置３０２の制御部４０１は、ユーザが領域５０３の「光学補正」釦をクリックしたことで、光学特性補正データを撮像装置３０１に登録するための処理を開始する（Ｓ７０１）。
【００４２】
Ｓ７０１により処理が開始されると、制御部４０１は、撮像装置３０１との通信チェックを行う（Ｓ７０２）。Ｓ７０２におけるチェックでは、登録装置３０２側から接続先の撮像装置３０１に対して、現在装着されているレンズ装置１１の識別情報と、撮像装置３０１内の中央制御部３４に予め登録されている光学特性補正データを要求する（Ｓ４０１）。要求を受けた撮像装置３０１は、現在装着しているレンズ装置の識別情報（例えば、名称やレンズＩＤ）と中央制御部３４に登録済みの光学特性補正データを登録装置３０２へ送信する（Ｓ４０２）。
【００４３】
従って、登録装置３０２では、Ｓ４０１、Ｓ４０２の処理により、撮像装置３０１に装着された登録すべきレンズ装置１１の識別情報を取得する。Ｓ４０２において送信する情報は、図８で示した構造全体を送信しても良いし、登録されているレンズ装置の識別情報のみを抜き出して送信しても良い。すなわち、Ｓ４０２では、中央制御部３４が予め記憶する光学特性補正データで登録されているレンズ装置の識別情報が返信される。
【００４４】
上述した通信チェックが終了すると、制御部４０１は、撮像装置３０１から返信された情報を取得し（Ｓ７０３）、レンズ登録を行う際のＵＩを、登録すべきデータの送信に先立って表示部４０４に表示するための準備に入る。ＵＩとして表示部４０４に表示される画面は、登録すべきデータの送信に先立って、データ内容の確認を行うための確認画面であり、図８に示すように、領域６０１、領域６０２、釦６０３、釦６０４、ＯＫ釦６０５を有している。
【００４５】
領域６０２には登録装置３０２に記録されている光学補正が可能なレンズ装置の名称（機種）等の一覧が表示される。この一覧表示は、制御部４０１が記憶部４０３に記憶された光学補正データ４０３ｂを読み出すことで行われる。また、制御部４０１は、Ｓ４０２で取得した光学特性補正データが登録済みのレンズ装置に対して、領域６０２内に表示されている各レンズ名称の先頭に付いているチェックボックスにチェックをいれる（Ｓ７０４）。すなわち、領域６０２には、登録装置３０２に記録されているレンズ装置の一覧が表示されるとともに、撮像装置３０１に補正情報が記憶されて登録済みであるレンズ装置が、チェックの有無により他のレンズ装置と識別可能に表示される。従って、領域６０２では、光学特性補正データが撮像装置３０１に登録済みであるレンズ装置について既に登録済みであることをユーザに明示的に知らせることができる。
【００４６】
一方、制御部４０１は、Ｓ４０２で取得した識別情報に基づいて、登録装置３０２内に記録されている光学特性補正データの中に、装着されているレンズ装置に関する光学特性補正データが含まれているか否かを判定する（Ｓ７０５）。すなわち、Ｓ７０５では、撮像装置３０１に現在装着されているレンズ装置に関する光学特性補正データが登録装置３０２に記録されているか否かが判定される。
【００４７】
制御部４０１は、Ｓ７０５において、記録されていると判定した場合、Ｓ４０２で取得した登録済みの光学特性補正データに基づいて、登録済みのレンズ装置の機種の数の合計が撮像装置３０１の登録可能数を越えていないかを判定する（Ｓ７０６）。より具体的には、制御部４０１は、登録済みのレンズ装置の台数に今回登録すべき台数を加えた台数と、予めメモリなどに設定されたレンズ装置の登録可能台数とを比較し、前者の台数が後者の台数を越えていないかを判定する。
【００４８】
Ｓ７０６において、制御部４０１は、登録済のレンズ装置の台数が登録可能数未満であった場合は、前述したとおり領域６０２内に表示されている装着しているレンズ装置の名称のチェックボックスにチェックをいれる（Ｓ７０７）。すなわち、Ｓ７０７により、登録装置３０２では、装着中のレンズ装置と、他のレンズ装置とが、チェックボックスにおけるチェックの有無で識別可能に表示される。このとき、装着しているレンズ装置の光学特性補正データが登録装置３０２になかった場合や、登録済みのレンズ装置の台数が登録可能数以上だった場合には、制御部４０１は、表示部４０４にポップアップウインドウ等による警告表示を行う（Ｓ７０６ａ）。この警告表示により、登録装置３０２は、撮像装置３０１にこれ以上レンズ装置を登録できないことや、装着しているレンズ装置の光学特性補正データが存在しないことをユーザに通知することができる。
【００４９】
上述した処理を完了すると、制御部４０１は、表示部４０４に図８のＵＩを表示する（Ｓ７０８）。こうすることにより、ユーザはどのレンズ装置が撮像装置３０１に登録されていて、どのレンズ装置が未登録であるのか一目で知ることができる。ここでは、例としてチェックボックスを挙げたがユーザに通知する手段はこの限りではない。ただし、チェックが入るだけだと、装着されていたレンズ装置と既に登録済みのレンズ装置とが表示上区別できない。したがって、装着されているレンズ装置をチェックをつける場合は、領域６０３等に例えば「装着されているＡレンズが追加されました」などと、明示的に表示してもよい。表示する手法は特に領域６０３に限らず、例えば領域６０２に表示されている該当レンズ名称の文字の色を変える等の手法をとっても良い。
【００５０】
表示部４０４に図８に示すＵＩが表示中であり、現在装着しているレンズ装置１１が交換されると、交換通知手段としての中央制御部３４の制御の下、撮像装置３０１が登録装置３０２に新しく装着された交換後のレンズ装置の識別情報を送信する（Ｓ４０３）。この識別情報を取得した登録装置３０２では、新しく装着されたレンズ装置の光学特性補正データが登録装置３０２上に記録されているかを制御部４０１が判定する。記録されていた場合、制御部４０１は、領域６０２上の新しく装着されたレンズ装置の名称のチェックボックスにチェックを追加して、ＵＩの表示を更新する。光学特性補正データが記録されていない場合、制御部４０１は表示部４０４に警告表示を行っても良い。
【００５１】
このＵＩの表示の更新時において、前回装着されていた交換前のレンズ装置のチェックについては、外さない方が好ましい。このようにチェックを外さないようにしておけば、次々レンズ装置を交換していけば追加でチェックを増やすことができる。したがって、複数のレンズ装置を所有するユーザは撮像装置３０１のレンズ装置を交換していくだけで効率的に所有するレンズ装置の光学特性補正データを撮像装置３０１に登録することができる。
【００５２】
また、制御部４０１は、領域６０２に表示されている各レンズ装置のチェックボックスについて、操作部４０５のマウス等を介したユーザの追加選択を受け付けて、その選択指示に応じてチェックを追加する（Ｓ７０９）。この場合、ユーザが所望のレンズを領域６０２のレンズ名称一覧から選択する。例えば、撮像装置３０１に装着されているレンズ装置と異なる名称（機種）のレンズ装置の名称をレンズ名称一覧から選択する。
【００５３】
一般的に一つのレンズ交換式の撮像装置において装着可能なレンズは一般的に数十本あり、多いものでは百本を超えるものも存在する。この中からユーザは所望のレンズを探さなければならず、全レンズの一覧から選択するのは非常に困難である。この為に領域６０１には、例えば「超広角・広角」「標準・中望遠」「望遠」「マクロ」「ズーム」「ＡＰＳ−Ｃセンサ専用レンズ」等の分類ごとの選択釦が配置される。制御部４０１は、領域６０１に配置された選択釦を介したユーザの操作指示に応じて、領域６０２に選択された分類のレンズ装置のみを表示する。これにより、ユーザは、レンズ名称一覧から選択する際に、所望のレンズを効率的に探すことができる。
【００５４】
また、制御部４０１は、釦６０４を介したユーザの指示を受け付けると、領域６０２にチェックがついたレンズ装置のみを表示する。これにより、ユーザは登録されるレンズ装置の一覧が一目で確認できるようになる。また領域６０３には、撮像装置３０１の最大登録本数と、撮像装置３０１に現在登録されているレンズの本数が記されており、あと何本登録できるか明示している。
【００５５】
また、Ｓ７０９において、レンズ装置にチェックを入れる時に、チェックをつけたレンズ装置に関する補正機能に制限が掛かる場合、制御部４０１は、チェックがついた時に警告表示を表示部４０４に行うようにしても良い。すわなち、Ｓ７０９では、チェックをつけた登録すべきレンズ情報に含まれる補正情報が、補正機能に制限が掛かる等の予めメモリに設定された警告条件を満たす場合に、警告表示が行われる。
【００５６】
警告表示をした方が良い警告条件として、一つにチェックをつけられたレンズ装置が距離情報を持っていないレンズ装置の場合がある。一般的に焦点距離情報や、絞り値は、撮像装置との通信によって殆どのレンズ装置が撮像装置に情報を送信している。しかしながら、光学系の変動を受けにくい距離情報については、撮像装置にその情報を通信しないレンズ装置が多く存在する。このようなレンズ装置の場合、他の距離情報を通信するレンズ装置に比べて補正が適切に掛からない可能性が高い。距離情報を通信するレンズ装置か否かはレンズ名称等からでは全く判断できない。したがって、チェックをつけた時にその旨をユーザに警告することにより、ユーザは、補正が適切に掛からないリスクを認識した上で、撮像装置における補正機能を使用することができる。
【００５７】
さらに、警告表示をした方が良い場合の一例として、補正ができない光学特性をもつレンズ装置であった場合にその旨を警告表示する場合がある。例えば、魚眼レンズのようなレンズ装置では、歪曲補正しようとすると、とても大きな補正をかけなければならない。したがって、このようなレンズ装置は、システムの負荷上、補正をかけることが困難であり、撮像装置３０１で補正に対応していない場合がある。一方で周辺光量補正や倍率収差補正などは他のレンズ装置と同様に補正できる。このようなレンズ装置が存在する場合には、このレンズ装置にチェックをいれた時に歪曲補正はできない旨を表示部４０４に警告表示することでユーザに通知してもよい。
【００５８】
上述した距離情報を持つレンズ装置か否かの情報や、歪曲補正ができないレンズ装置か否かの情報は、図８に例示した光学特性補正テーブルのヘッダ情報８０５に記録しておけば良い。制御部４０１は、チェックがついた時に、光学補正データ４０３ｂを参照することで上述した警告表示の有無を判定して、必要な場合に表示部４０４への警告表示を行うことができる。
【００５９】
一通り選択し終わったらユーザはＯＫ釦６０５をクリックするので、制御部４０１は、ユーザによるデータの登録指示の有無を、ＯＫ釦６０５の操作の有無を判定して行う（Ｓ７１０）。データの登録指示がある場合、制御部４０１は、チェックされたレンズ装置の光学特性補正データとそのレンズ装置の識別情報を含む登録情報を接続された撮像装置３０１に送信する（Ｓ７１１、Ｓ４０４）。
【００６０】
そして、撮像装置３０１において、中央制御部３４は、登録装置３０２から送信された登録情報に基づいて光学特性補正データの内蔵メモリ３４ｂへの記録が完了（記憶内容の更新）が終了すると、登録完了通知を登録装置３０２へ送信する（Ｓ４０５）。登録装置３０２では、登録完了通知を受信した場合に上述した制御部４０１の処理が完了する（Ｓ７１２）。この一連の処理により、ユーザは効率的に所望のレンズ装置の光学特性補正データを所有する撮像装置３０１に登録することができる。
【００６１】
［第２実施形態］
本発明の第２実施形態として、光学特性補正データの記録構造を撮像装置３０１の中央制御部３４に記録する構造と登録装置３０２内の記憶部４０３に記録する構造を変えた形態について説明する。なお、第２実施形態における撮像装置３０１と登録装置３０２は、第１実施形態と共通であるため、説明は省略する。
【００６２】
第１実施形態においては、図８で示したように、光学特性補正データの記録構造は撮像装置３０１と登録装置３０２において共通のものとして説明をした。しかし、共通の記録構造である場合は次のような問題が発生する。光学特性補正テーブルをレンズＩＤで管理している場合、ユーザは図８の領域６０２に示すように、レンズ装置の名称から判断して登録を行う。レンズＩＤと名称が完全に１対１で対応していれば良いが、現実には一つの名称のレンズで光学系が同一なものでも複数のレンズＩＤが割り当てられていることがある。
【００６３】
これは、例えばレンズの生産途中でレンズ装置内のファームを変更し、同一名称のレンズ装置であっても古いファームの個体と新しいファームの個体を分別する必要がある場合であり、別のレンズＩＤが割り振られているような事態の時に発生している。このようなレンズ装置は、名称も光学系も同一なのに、レンズＩＤが複数存在するということになる。このようなレンズ装置に対しては、第１実施形態に示すように撮像装置３０１側と登録装置３０２側で共通の構造をもっていたとすると、ユーザは当然どの名称のレンズ装置がレンズＩＤを重複してもってるか分からない。したがって、あるレンズ装置を選択すると領域６０３に示す登録レンズ本数が一気に複数本増えるというユーザには理解し難い問題が発生する。また、最大登録本数が決まっていても実際に最大本数分登録できないということになってしまう。
【００６４】
第２実施形態では、この問題を解決する方法を図１０、１１、１２を参照して説明する。
図１０は、第２実施形態に係る撮像装置３０１における中央制御部３４の記録内容の構成例を示す概念図である。前述した図４との差異は、領域９０１とレンズデータ領域９０２の間に補正データ参照テーブル９０４を追加したことにある。
【００６５】
図１１に示すように、補正データ参照テーブル９０４は、大きく分けて２つの領域から成り立つ。一つはレンズＩＤが記録されている領域１００１〜１００３である。もう一つは、領域１００１〜１００３のそれぞれのレンズＩＤに対応するオフセットData１〜３が記録されている領域１００４〜１００６である。オフセットDataは、対応するレンズＩＤの光学特性補正データが記録されているアドレスまでのオフセット量の値、すなわち、識別情報による補正情報の参照先情報を意味している。従って、補正データ参照テーブル９０４は、オフセットDataを適宜設定することで、複数の識別情報で同一の補正情報を参照することが可能となる。このレンズＩＤとオフセットDataの組み合わせの数は最大登録レンズ本数よりも多めに設定しておく。
【００６６】
この記録方法を用いた場合において、登録装置３０２から撮像装置３０１に光学特性補正データを登録する際の登録装置３０２の動作フローについて、図１２を参照して説明する。先ず、第１実施形態と同様の方法でユーザが撮像装置３０１に書きこみたい光学特性補正データを確定した場合は、図６に例示したＯＫ釦６０５が操作されることとなる。したがって、図１２に示すように、制御部４０１は、ＯＫ釦６０５のクリックを検出することで、第２実施形態に係る処理を開始する（Ｓ１１０１）。
【００６７】
処理が開始されると、制御部４０１は、光学特性補正データを撮像装置３０１に送信する前に次ような処理を内部的に行う。まず、制御部４０１は、チェックがつけられているレンズ名称をすべて取得する（Ｓ１１０２）。Ｓ１１０２において、チェックがつけられたレンズがない場合、制御部４０１は光学特性補正データが空のテーブルを撮像装置３０１に送信する（図４のＳ４０４に相当）。
【００６８】
Ｓ１１０２において、チェックがつけられているレンズ装置がある場合、制御部４０１は、光学補正データ４０３ｂを参照してチェックがつけれているレンズ装置に関する光学特性補正データを一つずつシークする。具体的には、制御部４０１は、先ず一つ目のチェックされたレンズ装置が複数のレンズＩＤを持っているか否かを判定する（Ｓ１１０３）。すなわち、Ｓ１１０３では、登録すべきレンズ装置と同一名称であり、異なるレンズＩＤで参照される光学特性補正データの有無が判定される。
【００６９】
そこで複数のレンズＩＤを持っていなかった場合、制御部４０１は、図１１に例示した領域の一つ目（領域１００１）にそのレンズＩＤを記録する。また、制御部４０１は、その光学特性補正データが入っている場所までのオフセット値を一つ目の領域に対応する領域（領域１００４）に記録する（Ｓ１１０５）。
【００７０】
一方、複数のレンズＩＤを持っていた場合について説明する。今回は一つのレンズ名称で２つのレンズＩＤを持っていた場合を想定する。この時、制御部４０１は、図１１の領域の一つ目（領域１００１）に２つのうちの１つのレンズＩＤを記録し、光学特性補正データが入っている場所までのオフセット値を一つ目の領域に対応する領域（領域１００４）に記録する。さらに、制御部４０１は、もう一方のレンズＩＤを領域１００２に記入し、光学特性補正データが入っている場所までのオフセット値であり、領域１００４と同じ値を領域１００５に記録する（Ｓ１１０４）。すなわち、Ｓ１１０４では、異なるレンズＩＤで同一の光学特性補正データを参照するための参照先情報が記録される。
よって、名称（機種）が同一で識別情報が異なるものについては、１つの登録情報のみ補正情報を含めて記録される。また、他の登録情報については、１つの登録情報を参照するための参照先情報を補正情報に代えて含めた登録情報が記録される。
【００７１】
上述した処理により、レンズＩＤは異なっていても同じ光学系であり、レンズＩＤの違いが古いファームの個体と新しいファームの個体を単に分別している場合は、光学特性補正データを共有できる。このように、光学特性補正データに補正データ参照テーブル９０４を追加することにより、重複するレンズＩＤに関する補正情報を重複して持つ必要がなくなる。さらに、ファームの違いによりレンズＩＤが重複しても補正情報が重複しなくなるため、実際に最大本数分登録できなくなることがなく、前述した最大登録本数に関する問題をユーザは特に気にしなくて良くなる。
【００７２】
制御部４０１は、上述した動作を登録すべきレンズ装置のすべてに繰り返し行う（Ｓ１１０６）。Ｓ１１０６の後、制御部４０１は、図１０を参照して説明したデータ構造で、登録すべき光学特性補正データを記録して撮像装置３０１に送信する（具体的にはＳ４０４と同様であり、送信する光学特性補正データのみが異なる）。この時に、制御部４０１は、Ｓ４０１、Ｓ４０２により撮像装置３０１から取得した登録済みの光学特性補正データを参照し、登録すべき光学特性補正データと重複するか否かをチェックする。このチェックおいて重複する場合、制御部４０１は、その重複する光学特性補正データを異なるレンズＩＤで参照するための参照先情報のみを撮像装置３０１に送信してもよい。すなわち、撮像装置３０１において既に登録済みである光学特性補正データについては、参照先情報のみを送信してもよい。こうすることで、撮像装置３０１において既に登録済みである光学特性補正データについても異なるレンズＩＤで参照することが可能となる。なお、上述した処理以外については、第１実施形態と共通なので説明は割愛する。
【００７３】
なお、上述した実施の形態における記述は、一例を示すものであり、これに限定するものではない。上述した実施の形態における構成及び動作に関しては、適宜変更が可能である。
【００７４】
（他の実施形態）
上述の実施形態は、システム或は装置のコンピュータ（或いはＣＰＵ、ＭＰＵ等）によりソフトウェア的に実現することも可能である。従って、上述の実施形態をコンピュータで実現するために、該コンピュータに供給されるコンピュータプログラム自体も本発明を実現するものである。つまり、上述の実施形態の機能を実現するためのコンピュータプログラム自体も本発明の一つである。
【００７５】
なお、上述の実施形態を実現するためのコンピュータプログラムは、コンピュータで読み取り可能であれば、どのような形態であってもよい。例えば、オブジェクトコード、インタプリタにより実行されるプログラム、ＯＳに供給するスクリプトデータ等で構成することができるが、これらに限るものではない。上述の実施形態を実現するためのコンピュータプログラムは、記憶媒体又は有線／無線通信によりコンピュータに供給される。プログラムを供給するための記憶媒体としては、例えば、フレキシブルディスク、ハードディスク、磁気テープ等の磁気記憶媒体、ＭＯ、ＣＤ、ＤＶＤ等の光／光磁気記憶媒体、不揮発性の半導体メモリなどがある。
【００７６】
有線／無線通信を用いたコンピュータプログラムの供給方法としては、コンピュータネットワーク上のサーバを利用する方法がある。この場合、本発明を形成するコンピュータプログラムとなりうるデータファイル（プログラムファイル）をサーバに記憶しておく。プログラムファイルとしては、実行形式のものであっても、ソースコードであっても良い。そして、このサーバにアクセスしたクライアントコンピュータに、プログラムファイルをダウンロードすることによって供給する。この場合、プログラムファイルを複数のセグメントファイルに分割し、セグメントファイルを異なるサーバに分散して配置することも可能である。つまり、上述の実施形態を実現するためのプログラムファイルをクライアントコンピュータに提供するサーバ装置も本発明の一つである。
【００７７】
また、上述の実施形態を実現するためのコンピュータプログラムを暗号化して格納した記憶媒体を配布し、所定の条件を満たしたユーザに、暗号化を解く鍵情報を供給し、ユーザの有するコンピュータへのインストールを許可してもよい。鍵情報は、例えばインターネットを介してホームページからダウンロードさせることによって供給することができる。また、上述の実施形態を実現するためのコンピュータプログラムは、すでにコンピュータ上で稼働するＯＳの機能を利用するものであってもよい。さらに、上述の実施形態を実現するためのコンピュータプログラムは、その一部をコンピュータに装着される拡張ボード等のファームウェアで構成してもよいし、拡張ボード等が備えるＣＰＵで実行するようにしてもよい。
【図面の簡単な説明】
【００７８】
【図１】本発明の第１実施形態に係る撮像装置の構成を示すブロック図である。
【図２】撮像素子の配列を示す概念図である。
【図３】レンズ情報登録システムの概要を示す概念図である。
【図４】光学特性補正データを記録した記録媒体の記録内容の構成例を示す概念図である。
【図５】登録装置の構成を示すブロック図である。
【図６】撮像装置と登録装置との動作を示したラダーチャートである。
【図７】ＵＩの画面例を示す概念図である。
【図８】ＵＩの画面例を示す概念図である。
【図９】登録装置での処理の流れを表したフローチャートである。
【図１０】第２実施形態に係る撮像装置における中央制御部の記録内容の構成例を示す概念図である。
【図１１】補正データ参照テーブルの構成例を示す概念図である。
【図１２】第２実施形態に係る登録装置での処理の流れを表したフローチャートである。
【図１】
2010041244.tif 000003
【図２】
2010041244.tif 000004
【図３】
2010041244.tif 000005
【図４】
2010041244.tif 000006
【図５】
2010041244.tif 000007
【図６】
2010041244.tif 000008
【図７】
2010041244.tif 000009
【図８】
2010041244.tif 000010
【図９】
2010041244.tif 000011
【図１０】
2010041244.tif 000012
【図１１】
2010041244.tif 000013
【図１２】
2010041244.tif 000014